(57)【要約】【課題】データ入力のもととなる書類や在宅オペレータの管理にかかる工数を低減し、かつ、オペレータが書類の発生後速やかにデータ入力作業を開始することのできるオペレーションセンターシステムを提供する。【解決手段】ワークフローサーバ１１１は、データ入力作業が発生すると、データ入力のもととなる元データを蓄積する。分配サーバ１１２は、エントリ端末１３１を用いて作業を行う複数のオペレータを予め記憶しており、各オペレータに作業を分配する。エントリ端末１３１は、ワークフローサーバ１１１から元データを取得し、その元データをもとにして入力された入力データをワークフローサーバ１１１に送る。ワークフローサーバ１１１は、その元データに関するデータ入力作業の工程管理を行う。【選択図】　　　図１
2004070718.tif 000002
【特許請求の範囲】
【請求項１】
依頼企業にてデータ入力作業が発生すると、データ入力のもととなる元データを蓄積し、該元データに関するデータ入力作業の工程管理を行うワークフローサーバと、
前記ワークフローサーバから前記元データを取得し、該元データをもとにして入力された入力データを前記ワークフローサーバに送る複数のエントリ端末とを有する仮想オペレションセンターシステム。
【請求項２】
前記ワークフローサーバは、前記各元データについて、該元データをもとにしたデータ入力が済んでいるか否かを管理する、請求項１記載の仮想オペレーションシステム。
【請求項３】
前記エントリ端末は、さらに、前記元データと該元データをもとに他のエントリ端末において入力された前記入力データとを前記ワークフローサーバから取得し、前記入力データが正しく入力されているか否か確認された結果を前記ワークフローサーバに送る、請求項１または２記載の仮想オペレーションセンターシステム。
【請求項４】
前記ワークフローサーバは、同じ元データをもとにして複数のエントリ端末にて入力された入力データ同士を比較することにより、前記入力データが正しく入力されているか否か確認する、請求項１または２記載の仮想オペレーションセンターシステム。
【請求項５】
前記ワークフローサーバは、前記各元データについて、該元データをもとにして入力された前記入力データの確認が済んでいるか否かを管理する、請求項３または４記載の仮想オペレーションセンターシステム。
【請求項６】
前記エントリ端末は、前記ワークフローサーバにて分割された元データを所得し、該分割された元データをもとにして入力された入力データを前記ワークフローサーバに送り、
前記ワークフローサーバは、前記エントリ端末から受信した入力データを結合する、請求項１〜５のいずれか１項に記載の仮想オペレーションセンターシステム。
【請求項７】
前記エントリ端末を用いて作業を行う複数のオペレータを予め記憶しており、該各オペレータに作業を分配する分配サーバをさらに有する、請求項１〜６のいずれか１項に記載の仮想オペレーションセンターシステム。
【請求項８】
前記各オペレータに作業を分配するための前記オペレータの情報を前記分配サーバに予め通知する管理者端末をさらに有する、請求項７記載の仮想オペレーションセンターシステム。
【請求項９】
前記分配サーバは、前記各オペレータに分配された作業量と該各オペレータにより実際に行われた作業量とを管理し、それら作業量から得られる予実情報を前記管理者端末に通知する、請求項８記載の仮想オペレーションセンターシステム。
【請求項１０】
前記予実情報が前記各オペレータに分配する作業量を決定するのに利用される、請求項９記載の仮想オペレーションセンターシステム。
【請求項１１】
前記ワークフローサーバが複数であり、
前記分配サーバは、複数の前記ワークフローサーバに蓄積された元データに関する作業を前記各オペレータに分配する、請求項７〜１０のいずれか１項に記載の仮想オペレーションセンターシステム。
【請求項１２】
前記元データはイメージデータである、請求項１〜１１のいずれか１項に記載の仮想オペレーションセンターシステム。
【請求項１３】
前記入力データはテキストデータである、請求項１〜１２のいずれか１項に記載の仮想オペレーションセンターシステム。
【請求項１４】
前記ワークフローサーバと前記エントリ端末は通信ネットワークを介して接続される、請求項１〜１３のいずれか１項に記載の仮想オペレーションセンターシステム。
【請求項１５】
前記通信ネットワークはインターネットである、請求項１４記載の仮想オペレーションセンターシステム。
【請求項１６】
オペレータが依頼企業にて発生した作業を行うための複数のエントリ端末を含み、仮想的なオペレーションセンターを構成するシステムにおいてデータ入力作業を行うためのデータ入力方法であって、
データ入力作業が発生すると、データ入力のもととなる元データを集約して蓄積するステップと、
蓄積された前記元データを前記各エントリ端末に分配するステップと、
分配された前記元データをもとに前記エントリ端末にて入力された入力データを集約するステップを有するデータ入力方法。
【請求項１７】
集約された前記入力データと該入力データに対応する元データとを前記各エントリ端末に分配するステップと、
分配された前記入力データが正しく入力されているか否か前記エントリ端末にて確認された結果を集約するステップをさらに有する、請求項１６記載のデータ入力方法。
【請求項１８】
蓄積された前記元データを前記各エントリ端末に分配する際、同じ元データを複数のエントリ端末に分配し、
前記入力データを集約する際、複数の前記エントリ端末にて入力された入力データ同士を比較することにより、前記入力データが正しく入力されているか否か確認する、請求項１６記載のデータ入力方法。
【請求項１９】
前記元データを前記各エントリ端末に分配する際、該元データを複数に分割して前記各エントリ端末に分配し、
前記入力データを集約する際、分割された前記元データをもとに入力された複数の入力データを結合する、請求項１６〜１８のいずれか１項に記載のデータ入力方法。
【請求項２０】
前記エントリ端末を用いて作業を行う複数のオペレータの情報を予め記憶しておくステップと、
前記各オペレータに対する作業の分配を前記情報を用いて決定するステップをさらに有する、請求項１６〜１９のいずれか１項に記載のデータ入力方法。
【請求項２１】
前記各オペレータに分配された作業量と該各オペレータにより実際に行われた作業量とを管理し、前記各オペレータに分配する作業量を決定するのに利用するステップをさらに有する、請求項２０記載のデータ入力方法。
【請求項２２】
オペレータが依頼企業にて発生した作業を行うための複数のエントリ端末を含み、仮想的なオペレーションセンターを構成するシステムにおいて、コンピュータにデータ入力作業を管理させるためのプログラムであって、
データ入力作業が発生すると、データ入力のもととなる元データを集約して蓄積する処理と、
蓄積された前記元データを前記各エントリ端末に分配する処理と、
分配された前記元データをもとに前記エントリ端末にて入力された入力データを集約する処理を有するプログラム。
【請求項２３】
集約された前記入力データと該入力データに対応する元データとを前記各エントリ端末に分配する処理と、
分配された前記入力データが正しく入力されているか否か前記エントリ端末にて確認された結果を集約する処理をさらに有する、請求項２２記載のプログラム。
【請求項２４】
蓄積された前記元データを前記各エントリ端末に分配する際、同じ元データを複数のエントリ端末に分配し、
前記入力データを集約する際、複数の前記エントリ端末にて入力された入力データ同士を比較することにより、前記入力データが正しく入力されているか否か確認する、請求項２２記載のプログラム。
【請求項２５】
前記元データを前記各エントリ端末に分配する際、該元データを複数に分割して前記各エントリ端末に分配し、
前記入力データを集約する際、分割された前記元データをもとに入力された複数の入力データを結合する、請求項２２〜２４のいずれか１項に記載のプログラム。
【請求項２６】
オペレータが依頼企業にて発生した作業を行うための複数のエントリ端末を含み、仮想的なオペレーションセンターを構成するシステムにおいて、前記エントリ端末を用いて作業を行う複数のオペレータに対する作業の分配をコンピュータに管理させるためのプログラムであって、
前記各オペレータの情報を予め記憶しておく処理と、
前記各オペレータに対する作業の分配を前記情報を用いて決定する処理を有するプログラム。
【請求項２７】
前記各オペレータに分配された作業量と該各オペレータにより実際に行われた作業量とを管理し、前記各オペレータに分配する作業量を決定するのに利用する処理をさらに有する、請求項２６記載のプログラム。
【発明の詳細な説明】
【０００１】
【発明の属する技術分野】
本発明は、書類に基づいて人手によりデータを入力するためのオペレーションセンターを仮想的に構築するシステムに関し、特に、通信ネットワークを用いた仮想的なオペレーションセンターシステムおよびそのデータ入力方法に関する。
【０００２】
【従来の技術】
コンピュータによるデータ入力作業などの単純作業を社外に依頼することが従来から多くの企業などにて行われている。例えば、企業が受け付けた手書きの書類に基づいてテキストデータを入力する作業を在宅のオペレータが請け負う。このようなデータ入力作業を請け負った在宅のオペレータは自宅のコンピュータを用いて作業をするのが一般的である。
【０００３】
データ入力のもとになる伝票や申込書などの書類は、一例として、入力作業を依頼する企業からオペレータに郵送されていた。また、他の例として、オペレータが企業に出向いて書類を持ち帰っていた。
【０００４】
また、オペレータにより入力されたデータは、例えば、インターネットなどの通信ネットワークを介したデータ通信により、オペレータの自宅のコンピュータから企業のコンピュータに送られていた。
【０００５】
そして、データの入力が完了すると入力のもととなった書類は企業に返却されるのが通常であるが、これはデータ通信で返却することができない。そのため、一例として、このような書類は郵送により返却されていた。また、他の例として、オペレータ等が企業に出向いて書類を返却していた。
【０００６】
【発明が解決しようとする課題】
上述したような従来のデータ入力のワークフローでは、入力のもとになった書類や入力済みのデータの受け渡しのために時間的なロスが発生していた。例えば、速やかにデータ入力を行う必要がある場合、社外のオペレータに作業を依頼するのは困難であった。
【０００７】
また、人材派遣企業が依頼を受けて依頼企業のデータ入力作業にあたる人材を提供する場合、人材派遣企業は、依頼企業の所在地の近くにいる人材を選ぶ必要があった。また、人材の採用にあたっても、依頼企業の所在地を考慮する必要があった。このように、人材派遣企業が人材の派遣および採用にあたり、依頼企業の所在地による地理的な制限を受け、適材適所の有効な人材活用が妨げられていた。
【０００８】
また、データ入力するための書類が多数発生するような企業では、多数の在宅オペレータに作業を分担させる必要がある。そのような場合、従来のデータ入力のワークフローでは、書類や在宅オペレータを管理するために企業にかかる工数が大きかった。なお、書類の管理とは、例えば、データ入力のもととなる書類の発生、各書類がデータ入力作業を依頼済みか否か、作業が完了しているか否かなどの管理である。また、在宅オペレータの管理とは、例えば、各在宅オペレータの作業能力、繁閑状況、連絡先や書類の郵送先などの管理である。
【０００９】
また、伝票や申込書などの書類には、機密保持の観点から、社外に持ち出すことができないものがある。そのような場合、社内でデータ入力作業を行う必要があり、人件費や設備、フロアスペースなどの運用コストが発生し、非効率なことがあった。
【００１０】
本発明の目的は、データ入力のもととなる書類や在宅オペレータの管理にかかる工数を低減し、かつ、オペレータが書類の発生後速やかにデータ入力作業を開始することのできるオペレーションセンターシステムおよびそのデータ入力方法を提供することである。
【００１１】
【課題を解決するための手段】
上記目的を達成するために、本発明の仮想オペレーションセンターシステムは、依頼企業にてデータ入力作業が発生すると、データ入力のもととなる元データを蓄積し、その元データに関するデータ入力作業の工程管理を行うワークフローサーバと、
ワークフローサーバから元データを取得し、その元データをもとにして入力された入力データをワークフローサーバに送る複数のエントリ端末とを有している。
【００１２】
したがって、本発明によれば、依頼企業にて発生した元データがワークフローサーバに集約され、データ入力に用いられるエントリ端末はワークフローサーバから元データを取得できる。
【００１３】
また、本発明によれば、ワークフローサーバによってデータ入力作業の工程管理がされるので、データ入力作業にあてたオペレータ数などが適切か否か容易に判断できる。また、依頼企業で発生する作業が適切にオペレータに分配される。
【００１４】
また、ワークフローサーバは、各元データについて、その元データをもとにしたデータ入力が済んでいるか否かを管理することとしてもよい。
【００１５】
また、エントリ端末は、さらに、元データとその元データをもとに他のエントリ端末において入力された入力データとをワークフローサーバから取得し、入力データが正しく入力されているか否か確認された結果をワークフローサーバに送ることとしてもよい。
【００１６】
したがって、エントリ端末にてオペレータにより入力された入力データが、確認のために他のオペレータのエントリ端末に送られるので、１人のオペレータが入力した入力データを他のオペレータに確認させることができる。
【００１７】
また、ワークフローサーバは、同じ元データをもとにして複数のエントリ端末にて入力された入力データ同士を比較することにより、入力データが正しく入力されているか否か確認することとしてもよい。
【００１８】
したがって、複数のエントリ端末にて複数のオペレータにより入力された入力データが比較され、正しく入力されているか否か確認される。
【００１９】
また、ワークフローサーバは、各元データについて、その元データをもとにして入力された入力データの確認が済んでいるか否かを管理することとしてもよい。
【００２０】
また、エントリ端末は、ワークフローサーバにて分割された元データを所得し、その分割された元データをもとにして入力された入力データをワークフローサーバに送り、
ワークフローサーバは、エントリ端末から受信した入力データを結合することとしてもよい。
【００２１】
また、本発明の仮想オペレーションセンターシステムは、エントリ端末を用いて作業を行う複数のオペレータを予め記憶しており、その各オペレータに作業を分配する分配サーバをさらに有してもよい。
【００２２】
また、本発明の仮想オペレーションセンターシステムは、各オペレータに作業を分配するためのオペレータの情報を分配サーバに予め通知する管理者端末をさらに有してもよい。
【００２３】
また、分配サーバは、各オペレータに分配された作業量とその各オペレータにより実際に行われた作業量とを管理し、それら作業量から得られる予実情報を管理者端末に通知することとしてもよい。
【００２４】
また、予実情報が各オペレータに分配する作業量を決定するのに利用されることとしてもよい。
【００２５】
したがって、各オペレータの作業の繁閑状況に応じて、各オペレータに作業が分配される。
【００２６】
また、ワークフローサーバが複数であり、
分配サーバは、複数のワークフローサーバに蓄積された元データに関する作業を各オペレータに分配することとしてもよい。
【００２７】
したがって、１つの分配サーバにより複数のワークフローサーバの依頼企業のデータ入力作業をオペレータに分配することができる。また、オペレータを共通リソースとして、複数の依頼企業のためのワークフローサーバのデータ入力作業に割り当てることができる。
【００２８】
本発明の一態様によれば、元データはイメージデータである。
【００２９】
本発明の一態様によれば、入力データはテキストデータである。
【００３０】
本発明の一態様によれば、ワークフローサーバとエントリ端末は通信ネットワークを介して接続される。
【００３１】
したがって、依頼企業の所在地に関係なく、オペレータを依頼企業のデータ入力作業にあてることができる。
【００３２】
本発明の一態様によれば、通信ネットワークはインターネットである。
【００３３】
本発明のデータ入力方法は、オペレータが依頼企業にて発生した作業を行うための複数のエントリ端末を含み、仮想的なオペレーションセンターを構成するシステムにおいてデータ入力作業を行うためのデータ入力方法であって、
データ入力作業が発生すると、データ入力のもととなる元データを集約して蓄積するステップと、
蓄積された前記元データを前記各エントリ端末に分配するステップと、
分配された前記元データをもとに前記エントリ端末にて入力された入力データを集約するステップを有している。
【００３４】
また、集約された入力データとその入力データに対応する元データとを各エントリ端末に分配するステップと、
分配された入力データが正しく入力されているか否かエントリ端末にて確認された結果を集約するステップをさらに有してもよい。
【００３５】
また、蓄積された元データを各エントリ端末に分配する際、同じ元データを複数のエントリ端末に分配し、
入力データを集約する際、複数のエントリ端末にて入力された入力データ同士を比較することにより、入力データが正しく入力されているか否か確認することとしてもよい。
【００３６】
また、元データを各エントリ端末に分配する際、その元データを複数に分割して各エントリ端末に分配し、
入力データを集約する際、分割された元データをもとに入力された複数の入力データを結合することとしてもよい。
【００３７】
また、エントリ端末を用いて作業を行う複数のオペレータの情報を予め記憶しておくステップと、
各オペレータに対する作業の分配をその情報を用いて決定するステップをさらに有してもよい。
【００３８】
また、各オペレータに分配された作業量とその各オペレータにより実際に行われた作業量とを管理し、各オペレータに分配する作業量を決定するのに利用するステップをさらに有してもよい。
【００３９】
本発明のプログラムは、オペレータが依頼企業にて発生した作業を行うための複数のエントリ端末を含み、仮想的なオペレーションセンターを構成するシステムにおいて、コンピュータにデータ入力作業を管理させるためのプログラムであって、
データ入力作業が発生すると、データ入力のもととなる元データを集約して蓄積する処理と、
蓄積された前記元データを前記各エントリ端末に分配する処理と、
分配された前記元データをもとに前記エントリ端末にて入力された入力データを集約する処理を有している。
【００４０】
また、集約された入力データとその入力データに対応する元データとを各エントリ端末に分配する処理と、
分配された入力データが正しく入力されているか否かエントリ端末にて確認された結果を集約する処理をさらに有してもよい。
【００４１】
また、蓄積された元データを各エントリ端末に分配する際、同じ元データを複数のエントリ端末に分配し、
入力データを集約する際、複数のエントリ端末にて入力された入力データ同士を比較することにより、入力データが正しく入力されているか否か確認することとしてもよい。
【００４２】
また、元データを各エントリ端末に分配する際、その元データを複数に分割して各エントリ端末に分配し、
入力データを集約する際、分割された元データをもとに入力された複数の入力データを結合することとしてもよい。
【００４３】
本発明の他のプログラムは、オペレータが依頼企業にて発生した作業を行うための複数のエントリ端末を含み、仮想的なオペレーションセンターを構成するシステムにおいて、エントリ端末を用いて作業を行う複数のオペレータに対する作業の分配をコンピュータに管理させるためのプログラムであって、
各オペレータの情報を予め記憶しておく処理と、
各オペレータに対する作業の分配をその情報を用いて決定する処理を有している。
【００４４】
また、各オペレータに分配された作業量とその各オペレータにより実際に行われた作業量とを管理し、各オペレータに分配する作業量を決定するのに利用する処理をさらに有してもよい。
【００４５】
【発明の実施の形態】
本発明の一実施形態について図面を参照して詳細に説明する。
【００４６】
本実施形態では、金融機関や電力会社、ガス会社、電話会社などの企業が窓口で顧客から受け付けた手書きの書類のイメージデータに基づいて在宅のオペレータがテキストデータを入力するためのシステムを例示する。本システムによれば、通信ネットワークを利用した仮想的なオペレーションセンターが構成されるので、企業は社内に独自のオペレーションセンターを設けなくとも迅速にデータ入力の作業を行うことができ、かつオペレーションセンターを設けるためのコストを削減することができる。
【００４７】
図１は、本実施形態のオペレーションセンターシステムの構成を示すブロック図である。図１を参照すると、オペレーションセンターシステムは、依頼企業１０、人材派遣企業１３および一般家庭１４を含む構成である。
【００４８】
依頼企業１０は、データ入力作業を在宅オペレータに依頼する企業であり、業務センタ１１および少なくとも１つの支店１２を含む。ここでは、業務センタ１１が依頼企業１０に含まれる例を示しているが、人材派遣企業１３に含まれてもよい。
【００４９】
業務センタ１１は、イメージワークフローサーバ１１１、在宅勤務システムサーバ１１２、管理者端末１１３、登録端末１１４およびイメージスキャナ１１５を備えている。
【００５０】
イメージワークフローサーバ１１１、在宅勤務システムサーバ１１２、管理者端末１１３および登録端末１１４はＬＡＮで相互に接続されている。イメージスキャナ１１５は登録端末１１４に接続されている。支店１２は、業務センタ１１と同じ登録端末１１４およびイメージスキャナ１１５を備えている。
【００５１】
図２は、イメージワークフローサーバおよび在宅勤務システムサーバの構成を示すブロック図である。
【００５２】
図２を参照すると、イメージワークフローサーバ１１１は、データベース１１１１および工程管理部１１１２を有している。また、在宅勤務システムサーバ１１２は集配信管理部１１２１、予実管理部１１２２およびオペレータ管理部１１２３を有している。
【００５３】
業務センタ１１と支店１２とは通信ネットワークＮ１０を介して接続されている。通信ネットワークＮ１０は典型的には専用線である。
【００５４】
一般家庭１３は、人材派遣企業に登録されている在宅オペレータの自宅などである。
【００５５】
一般家庭１３は、エントリ端末１３１と認証装置１３２を備えている。認証装置１３２は人材派遣企業１４に備えられているものと同じものであり、エントリ端末１３１に接続されている。
【００５６】
人材派遣企業１４は、データ入力作業を行う在宅オペレータが登録されており、依頼企業からの依頼に応じてデータ入力作業を行う在宅オペレータを提供する人材派遣企業である。
【００５７】
人材派遣企業１４は、管理者端末１４１および認証装置１３２を備えている。認証装置１３２は管理者端末１４１に接続されている。
【００５８】
業務センタ１１、一般家庭１３および人材派遣企業１４は通信ネットワークＮ２０により相互に接続されている。通信ネットワークＮ２０は典型的にはインターネットである。
【００５９】
イメージワークフローサーバ１１１は、大容量のハードディスクなどの記憶装置にデータベース１１１１を有している。イメージワークフローサーバ１１１は、業務センタ１１または支店１２の登録端末１１４から、データ入力のもとになる書類のイメージデータを受信してデータベース１１１１に登録する。すなわち、支店１２および業務センタ１１にてそれぞれ受け付けられた書類のイメージデータはイメージワークフローサーバ１１１のデータベース１１１１に集約される。なお、ここでいうイメージデータには、実際のイメージデータの他に、そのイメージデータの管理に必要なデータ、例えばイメージデータにユニークな処理通番が含まれていてもよい。
【００６０】
また、イメージワークフローサーバ１１１は、オペレータがデータを入力するためのフォームを書類のイメージデータに付加し、在宅勤務システムサーバ１１２を介して一般家庭１３のエントリ端末１３１に送る。以下、書類のイメージデータとデータ入力用のフォームとを合わせてエントリ用データと呼ぶこととする。エントリ用データは、通信ネットワークＮ２０を介して転送されるとき、暗号化されることが好ましい。エントリ用データの送り先となるエントリ端末１３１は、在宅勤務システムサーバ１１２により決定された作業分配に従ったものとなる。
【００６１】
また、イメージワークフローサーバ１１１は、一般家庭１３のエントリ端末１３１から、在宅オペレータが書類のイメージデータをもとに入力したテキストデータを受信し、イメージデータと対応付けてデータベース１１１１に登録する。
【００６２】
イメージワークフローサーバ１１１の工程管理部１１１２は、データベース１１１１に登録された書類のイメージデータに対して、テキストデータが入力済か否か、未入力であれば入力を依頼中であるか否かを管理する。
【００６３】
例えば、基本的なワークフローとしては、１件の書類をもとにしたテキストデータ入力の作業が１人のオペレータに割り当てられ、そのオペレータがテキストデータを入力するというものが考えられる。なお、作業の割り当ては、例えば、各オペレータに割り当てる書類の数を決めることにより行われる。
【００６４】
その場合、工程管理部１１１２は、各書類の状態を「未入力」、「入力中」または「入力済」のように管理する。
【００６５】
在宅勤務システムサーバ１１２は、在宅のオペレータを管理しており、各オペレータに対するデータ入力作業の分配を決定する。具体的には、在宅勤務システムサーバ１１２は、登録されているオペレータと、各オペレータの作業能力や勤務可能時間帯、繁閑状況などに応じて各オペレータに書類を割り当てる。
【００６６】
オペレータ管理部１１２３は、在宅のオペレータの識別情報、作業能力、アドレスなどの情報を管理している。そして、オペレータ管理部１１２３は、エントリ端末１３１との間でオペレータの認証データをやりとりすることにより認証を行う。
【００６７】
予実管理部１１２２は、在宅のオペレータの勤務可能時間帯の情報から得られた、各オペレータに対する作業の割り当て予定の情報を管理している。この作業予定情報は、エントリ端末１３１から申告された勤務可能時間帯から得られ、人材派遣企業１４の管理者端末１４１から参照および更新が可能である。また、予実管理部１１２２は、各オペレータに割り当てられた予定作業量と、実際に行われた実績作業量とを予実情報として管理している。この予実情報は、各オペレータの査定や、各オペレータに対する作業の割り当ての決定に利用される。
【００６８】
集配管理部１１２１は、書類のエントリ用データのエントリ端末１３１への送信と、入力済のテキストデータのエントリ端末１３１からの受信を管理する。集配管理部１１２１は、オペレータ管理部１１２３によるオペレータの認証が正常に行われた後に、予実管理部１１２２に管理されている作業予定情報に従って、エントリ用データのエントリ端末１３１への送信をイメージワークフローサーバ１１１に指示する。
【００６９】
また、集配信管理部１１２１は、エントリ端末１３１から入力済のテキストデータがイメージワークフローサーバ１１１に送られたか否かを管理する。
【００７０】
なお、在宅勤務システムサーバ１１２は、登録されているオペレータの情報を人材派遣企業１４の管理者端末１４１から受けることにより予め取得する。また、在宅勤務システムサーバ１１２は、各オペレータの勤務可能時間帯をエントリ端末１３１から直接、あるいは管理者端末１４１を介して受けることにより予め取得する。また、在宅勤務システムサーバ１１２は、各オペレータに割り当てた各書類の状況などから、各オペレータの繁閑状況を求める。
【００７１】
在宅勤務システムサーバ１１２は、イメージワークフローサーバ１１１からエントリ端末１３１に送られるエントリ用データを中継する。エントリ用データの送り先は、在宅勤務システムサーバ１１２により決定されたエントリ端末１３１に対する作業分配に従ったものとなる。
【００７２】
管理者端末１１３は、依頼企業または人材派遣企業の管理者により操作され、イメージワークフローサーバ１１１と在宅勤務システムサーバ１１２の運用および管理を行う。具体的には、管理者端末１１３は、イメージワークフローサーバ１１１および在宅勤務システムサーバ１１２と通信ネットワークＮ２０を介して通信することにより、各サーバの稼動状況の監視、データベースのバックアップなどの運用管理、および各サーバに設定されているシステムデータの更新などのメンテナンスを行う。
【００７３】
登録端末１１４は、テキストデータの入力のもととなる書類のイメージデータを取得してイメージワークフローサーバ１１１に送る。具体的には、登録端末１１４は、業務センタ１１や支店１２の窓口にて顧客から受け付けられた商品やサービスの申込書などの書類のイメージデータをイメージスキャナ１１５により読み取りイメージワークフローサーバ１１１に送る。また、登録端末１１４は、受付にてキーボード（不図示）やバーコードリーダ（不図示）から入力された、イメージデータを管理するためのデータを、イメージデータに含めてイメージワークフローサーバ１１１に送ってもよい。
【００７４】
エントリ端末１３１は、各オペレータがデータ入力作業を行うための端末である。エントリ端末１３１は、通常、オペレータの自宅に設置されている。
【００７５】
エントリ端末１３１には、オペレータを認証するために、オペレータ特有のデータが記録されたオペレータカードを読み取るカードカードリーダ、またはオペレータの指紋を読み取る指紋入力装置などの認証装置１３２が接続されている。エントリ装置１３１は、認証装置１３２を用いた認証の結果、作業を許可されたオペレータのみに操作を行わせる。
【００７６】
認証装置１３２を用いた認証は、エントリ端末１３１と在宅勤務システムサーバ１１２のオペレータ管理部１１２３の間で認証データをやりとりすることにより行される。
【００７７】
エントリ端末１３１は、認証の後、作業を許可されたオペレータが申告する作業可能時間帯を、作業の割り当ての判断に用いるために、在宅勤務システムサーバ１１２または管理者端末１４１に送る。
【００７８】
また、エントリ端末１３１は、認証の後、在宅勤務システムサーバ１１２によって割り当てられたエントリ用データを受信して画面（不図示）に表示し、オペレータにより入力されたテキストデータをイメージワークフローサーバ１１１に送る。このとき、オペレータは、画面に表示されたイメージデータに基づいてキーボードなどからテキストデータを入力する。
【００７９】
管理者端末１４１は、人材派遣企業の管理者により操作される。管理者端末１４１は、人材派遣企業の管理者が決定した、依頼企業１０の作業を行うオペレータの情報を在宅勤務システムサーバ１１２に送る。このオペレータ情報には、各オペレータの作業能力やエントリ端末のアドレスなどが含まれている。
【００８０】
管理者端末１４１には、管理者を認証するために認証装置１３２が接続されている。管理者端末１４１は、認証装置１３２を用いた認証の結果、アクセスを許可された管理者のみにオペレータに関するデータの入力などを行わせる。
【００８１】
管理者端末１４１の機能としては、例えば、在宅のオペレータのデータを管理する機能、在宅勤務システムサーバ１１２の予実管理部１１２２にて管理されている情報の参照および更新をする機能、在宅のオペレータを査定する機能、各オペレータおよび全体の作業実績に関する統計を作成する機能などがある。
【００８２】
在宅のオペレータのデータを管理する機能により、オペレータ名やアドレスの登録または更新や、各オペレータの作業能力のランクの更新などが行われる。
【００８３】
予実管理部１１２２にて管理されている情報の参照および更新をする機能の具体例を示す。
【００８４】
まず、各月初めまでに、各オペレータから勤務可能時間帯など作業予定量の申請を受け付ける。次に、全体の作業予想に応じて、日単位の勤務者数や作業配分、勤務時間帯などから全体の作業計画を決定し、作業予定情報として在宅勤務システムサーバ１１２の予実管理部１１２２に登録する。なお、当初に勤務することが予定されていたオペレータが急に勤務できなくなった場合には、管理者端末１４１は、代替勤務するオペレータのシフトや作業量の調整を行い、作業予定情報を更新する。
【００８５】
また、管理者端末１４１は、在宅勤務システムサーバ１１２の予実管理部１１２２にて管理されている各オペレータの予実情報を参照する。そして、例えば、予定作業量と実績作業量との差が極端に大きいオペレータに対して、警告の電子メールを送って注意を促す。
【００８６】
また、月末に、管理者端末１４１は、給与計算のために、在宅勤務システムサーバ１１２から各オペレータの実績作業量を取得する。
【００８７】
在宅のオペレータを査定する機能によれば、予実情報や、実績作業量から各オペレータの作業能力のランクが決定される。また、例えば、１人のオペレータが入力したテキストデータを他のオペレータが確認するようなワークフローを採用する場合には、オペレータの誤入力率を求めることもできる。ご入力率を査定に含めても良い。
【００８８】
各オペレータおよび全体の作業実績に関する統計を作成する機能によれば、それ以降の作業計画の作成に利用するための統計情報を作成することができる。
【００８９】
他のワークフローの例として、１人のオペレータがテキストデータを入力した後、他のオペレータがそのテキストデータを検証することとしてもよい。その場合、イメージワークフローサーバ１１１は入力済のデータについて検証済か否かについても管理する。また、在宅勤務システムサーバ１１２は、データ入力作業のほかに、検証の作業も各オペレータに割り当てる。そして、１人のオペレータにより入力されたテキストデータとそのもととなった書類のイメージデータが、テキストデータの検証を行うオペレータのエントリ端末１３１に送られる。エントリ端末１３１は、オペレータがテキストデータを検証するのにも用いられる。エントリ端末１３１は、イメージデータとテキストデータを画面に表示する。オペレータがそれらを比較して確認し、間違いがあるか否かをエントリ端末１３１に入力する。このとき、間違いがあれば、オペレータがそれを修正することとしてもよい。間違いがあるか否かの情報と、間違いがあれば修正データとはエントリ端末１３１からイメージワークフローサーバ１１１に送られ、データベース１１１１に登録される。
【００９０】
図３は、本実施形態のイメージワークフローサーバにある工程管理部による工程管理の一例について説明するための図である。ここでは、１人のオペレータがテキストデータを入力し、他のオペレータがそれを検証するワークフローについて説明する。
【００９１】
図３を参照すると、イメージワークフローサーバ１１１の工程管理部１１１２に管理される、入力待ちキュー１１１３、検証待ちキュー１１１４および完了キュー１１１５の３つのキューがある。
【００９２】
まず、イメージワークフローサーバ１１１のデータベース１１１１に書類のイメージデータが登録されると、工程管理部１１１２はその書類のイメージデータに入力用のフォームを付加してエントリ用データとして入力待ちキュー１１１３に蓄積する（ステップＡ１）。
【００９３】
次に、テキストデータ入力の作業を割り当てられているエントリ端末１３１−１は、在宅勤務システムサーバ１１２を介してイメージワークフローサーバ１１１にエントリ用データを要求する（ステップＡ２）。イメージワークフローサーバ１１１は、入力待ちキュー１１１３に蓄積されたエントリ用データをエントリ端末１３１−１に送る（ステップＡ３）。
【００９４】
オペレータがテキストデータを入力すると、エントリ端末１３１−１は、テキストデータの入力されたエントリ用データをイメージワークフローサーバ１１１に送る（ステップＡ４）。工程管理部１１１２は、そのエントリ用データを検証待ちキュー１１１４に蓄積する。
【００９５】
次に、テキストデータ検証の作業を割り当てられているエントリ端末１３１−２からの要求に応じて、イメージワークフローサーバ１１１は、検証待ちキュー１１１４に蓄積されたエントリ用データをエントリ端末１３１−２に送る（ステップＡ５）。
【００９６】
オペレータがテキストデータを確認すると、エントリ端末１３１−２は、確認済である旨の情報を付加したエントリ用データをイメージワークフローサーバ１１１に送る（ステップＡ６）。工程管理部１１１２は、そのエントリ用データを完了キュー１１１５に蓄積する。
【００９７】
次に、完了待ちキュー１１１５に蓄積されているエントリ用データのテキストデータが、本オペレーションの結果として出力される（ステップＡ７）。
【００９８】
上述したワークフロー以外に、さらに他のワークフローの例として、２人のオペレータが同じ書類をもとにテキストデータを入力し、それらのテキストデータを比較することによりテキストデータを検証することとしてもよい。その場合、イメージワークフローサーバ１１１は、入力された２つのテキストデータを記録し、それらを比較して一致したか否か判定する。また、在宅勤務システムサーバ１１２は、１つの書類のイメージデータに対するテキストデータ入力の作業を２人のオペレータに割り当てる。
【００９９】
本実施形態のオペレーションセンターシステム全体の動作の流れの一例について説明する。ここでは、オペレーションセンタ−システムは、依頼企業１０の支店１２の窓口で顧客から受け付けた書類（手書きの商品申込書）をもとに、そこに記載されている内容をテキストデータとして入力し、顧客の申込み内容をコンピュータに登録する。
【０１００】
まず、支店１２の窓口において、手書きの商品申込書が発生する。図４は、手書きの商品申込書の一例を示す図である。図４を参照すると、商品申込書Ｂ１には、項目１〜５までに文字が記入されている。
【０１０１】
支店１２の登録端末１１４は、イメージスキャナ１１５により商品申込書Ｂ１のイメージを読み込み、処理通番を付与し、イメージワークフローサーバ１１１に送る。
【０１０２】
イメージワークフローサーバ１１１１は登録端末１１４から受信したデータに基づいてエントリ用データを作成し、データベース１１１１に登録する。図５は、エントリ用データの構成を示す図である。図５を参照すると、エントリ用データＢ４は、商品申込書イメージＢ２および入力用のフォームＢ３を含み、処理通番が付与されている。
【０１０３】
データ入力作業の割り当てられているエントリ端末１３１がイメージワークサーバ１１１からエントリ用データＢ４を取得して画面Ｂ５に表示する。図６は、エントリ端末１３１の画面表示の一例を示す図である。図６を参照すると、エントリ用データＢ４に従って商品申込書イメージ、入力用のフォーム、および処理通番が表示されている。入力用フォームは空欄のデータ入力領域を含んでいる。
【０１０４】
オペレータがデータ入力領域を選択してキーボードなどからテキストデータを入力すると、エントリ端末１３１はテキストデータを含むエントリ用データを作成し、イメージワークフローサーバ１１１に送る。
【０１０５】
イメージワークフローサーバ１１１は、エントリ端末１３１から受信したエントリ用データからテキストデータを取り出して出力する。図７は、イメージワークフローサーバ１１１により出力されるテキストデータを示す図である。図７を参照すると、テキストデータにはオペレータが入力した項目１〜５が含まれている。
【０１０６】
本実施形態のオペレーションセンターシステム全体の動作の流れの他の例について説明する。この例は、登録端末１１４から登録された商品申込書Ｂ１（図４参照）の項目１〜５のテキストデータの入力を複数のオペレータに分担させるというものである。それによりデータ入力作業の効率化が図られる。
【０１０７】
図８は、オペレーションセンターシステムの動作を説明するための図である。図８を参照すると、イメージワークフローサーバは登録端末１１４から受信したデータに基づいてエントリ用データをＢ４作成し、データベース１１１１に登録する。エントリ用データＢ４は、商品申込書イメージＢ２および入力用フォームＢ３を含み、処理通番が付与されている。
【０１０８】
この例では、データ入力作業は３つに分割され、３人のオペレータが各作業を分担する。３つのエントリ端末１３１がイメージワークサーバ１１１から取得するエントリ用データは３分割されたものである。したがって、各エントリ端末１３１には画面Ｂ７，８，９がそれぞれ表示される。ここでは、エントリ用データＢ４は、項目１と、項目２および３と、項目４および５の３つに分割されている。
【０１０９】
各オペレータがテキストデータを入力すると、各エントリ端末１３１はテキストデータを含むエントリ用データを作成し、イメージワークフローサーバ１１１に送る。
【０１１０】
イメージワークフローサーバ１１１は、各エントリ端末１３１から受信したエントリ用データを結合し、テキストデータを取り出して出力する。イメージワークフローサーバ１１１により出力されるテキストデータＢ６には３人のオペレータが入力した項目１〜５が含まれている。
【０１１１】
以上説明したように、本実施形態によれば、人材派遣企業１３に登録された在宅のオペレータが通信ネットワークＮ２０を介して依頼企業１０に接続され、書類のイメージデータが通信ネットワークＮ２０を介して転送されるので、オペレータは迅速にデータ入力を行うことができ、速やかにデータ入力を行う必要がある場合にも社外に依頼することが可能である。また、人材派遣企業１３は適切な人数のオペレータを即座に依頼企業１０のデータ入力作業にあてることができ、人材の有効な活用が可能である。また、人材派遣企業１３は依頼企業１０の所在地に関係なく、オペレータを依頼企業１０のデータ入力作業にあてることができ、人材の有効な活用が可能であると共に、人材の採用にあたり地理的な制限を受けない。
【０１１２】
また、本実施形態によれば、人材派遣企業１３から作業量に見合った適切な人数のオペレータが依頼企業１０に提供されるので、作業量が大きい場合にも、依頼企業１０は、書類やオペレータを管理する仮想的なオペレーションセンターを用いてデータ入力作業を行うことができ、自社内に大規模なオペレーションセンターを実際に構築する必要が無く、書類やオペレータの管理に要する工数を削減することができる。また、オペレーションセンターの構築にかかる設備やフロアのコストも低減され、さらに、作業量の変化にも迅速に対応することができる。
【０１１３】
また、本実施形態によれば、発生する作業の量、各オペレータの作業能力や作業可能時間などに応じて、各オペレータに作業が分配されるので、依頼企業における業務の予実管理、要員の管理などの負担が軽減される。
【０１１４】
また、本実施形態によれば、テキストデータ入力のもととなる書類のイメージデータは暗号化されて通信ネットワークＮ２０を転送され、オペレータはオペレータカードや指紋により認証されるので、書類の機密保持が必要な場合でも、在宅のオペレータにテキストデータの入力作業を行わせることができる。
【０１１５】
本発明の他の実施形態について説明する。この実施形態は、１つの業務センタに複数のイメージワークフローサーバを設け、在宅勤務システムサーバにおいて複数のイメージワークフローサーバで発生する作業を一括管理する点で図１に示した実施形態と異なる。
【０１１６】
図９は、本発明の他の実施形態のオペレーションセンタシステムの構成を示すブロック図である。図９を参照すると、オペレーションセンターシステムは、業務センタ２１、支店２２，２３、人材派遣企業２４および一般家庭２５を含む構成である。支店２２と支店２３とは互いに異なる依頼企業に属する。支店２２は登録端末２２１およびイメージスキャナ２２２を備えている。支店２３は登録端末２３１およびイメージスキャナ２３２を備えている。登録端末２２１，２３１は図１の登録端末１１４と同じものであり、イメージスキャナ２２２，２３２は図１のイメージスキャナ１１５と同じものである。業務センタ２１にも登録端末２２１とイメージスキャナ２２２があるが、支店２２にあるものと同じものである。
【０１１７】
業務センタ２１と支店２２とは通信ネットワークＮ３０を介して接続されている。業務センタ２１と支店２３とは通信ネットワークＮ４０を介して接続されている。通信ネットワークＮ３０，Ｎ４０は典型的には専用線である。
【０１１８】
業務センタ２１、一般家庭２５および人材派遣企業２４は通信ネットワークＮ５０により相互に接続されている。通信ネットワークＮ５０は典型的にはインターネットである。
【０１１９】
業務センタ２１は、２つのイメージワークフローサーバ２１１，２１２と１つの在宅勤務システムサーバ２１３を有している。
【０１２０】
イメージワークフローサーバ２１１，２１２は図１のイメージワークフローサーバ１１１と同じものである。イメージワークフローサーバ２１１は支店２２の属する依頼企業のデータ入力作業のために用いられる。イメージワークフローサーバ２１２は支店２３の属する依頼企業のデータ入力作業のために用いられる。通常、各依頼企業で用いられている書類の書式は互いに異なるので、イメージワークフローサーバ２１１で用いられる入力用フォームと、イメージワークフローサーバ２１２で用いられる入力用フォームとは互いに異なるものである。
【０１２１】
在宅勤務システムサーバ２１３は、在宅のオペレータを管理しており、イメージワークフローサーバ２１１およびイメージワークフローサーバ２１２に登録された書類をもとにしたデータ入力作業を各オペレータに分配する。このとき、在宅勤務システムサーバ２１３は、各依頼企業の作業を効率良く行うことができるように、各オペレータに作業を割り当てる。
【０１２２】
管理者端末２１４は２つのイメージワークフローサーバ２１１，２１２と１つの在宅勤務システムサーバ２１３の運用および管理を行う。
【０１２３】
一般家庭２５のエントリ端末２５１は図１のエントリ端末１３１と同じものである。１つのエントリ端末２５１に複数依頼企業のデータ入力作業が割り当てられることがあるが、オペレータは接続環境や起動アプリケーションを何ら変更することなく、複数の依頼企業のデータ入力作業を行うことができる。
【０１２４】
管理者端末２４１は、図１の管理者端末１４１と同じものである。
【０１２５】
以上説明したように、本実施形態によれば、１つの在宅勤務システムサーバ２１３により複数の依頼企業のデータ入力作業をオペレータに分配することができるので、人材派遣企業は依頼企業が増えたときにも大規模な設備の増設を行うことなく、業務規模を拡大することができる。また、人材派遣企業は、オペレータを共通リソースとして、複数の依頼企業のデータ入力作業に割り当てるので、より有効な人材の活用が可能である。
【０１２６】
【発明の効果】
本発明によれば、依頼企業にて発生した元データがワークフローサーバに集約され、データ入力に用いられるエントリ端末はワークフローサーバから元データを取得できるので、オペレータは迅速にデータ入力を行うことができる。
【０１２７】
また、ワークフローサーバによってデータ入力作業の工程管理がされるので、データ入力作業にあてたオペレータ数などが適切か否か容易に判断でき、また、適切なオペレータ数をデータ入力作業にあてることができる。
【０１２８】
また、依頼企業で発生する作業が適切にオペレータに分配されるので、作業量が大きい場合にも、依頼企業は、書類やオペレータを管理する仮想的なオペレーションセンターを用いてデータ入力作業を行うことができ、自社内に大規模なオペレーションセンターを実際に構築する必要が無く、書類やオペレータの管理に要する工数を削減することができる。また、依頼企業は、オペレーションセンターの構築にかかる設備やフロアのコストも低減でき、さらに、作業量の変化にも迅速に対応できる。
【０１２９】
また、エントリ端末にてオペレータにより入力された入力データが、確認のために他のオペレータのエントリ端末に送られるので、１人のオペレータが入力した入力データを他のオペレータに確認させることができ、入力データの信頼性を向上させることができる。
【０１３０】
また、複数のエントリ端末にて複数のオペレータにより入力された入力データが比較され、正しく入力されているか否か確認されるので、複数のオペレータの入力の一致により入力データの信頼性を向上させることができる。
【０１３１】
また、各オペレータの作業の繁閑状況に応じて、各オペレータに作業が分配されるので、作業を効率的に行うことができ、また依頼企業においては予実管理、要員の管理などの負担が軽減される。
【０１３２】
また、１つの分配サーバにより複数のワークフローサーバの依頼企業のデータ入力作業をオペレータに分配することができるので、依頼企業が増えたときにも分配サーバの増設を行うことなく、システム規模を拡大できる。また、オペレータを共通リソースとして、複数の依頼企業のためのワークフローサーバのデータ入力作業に割り当てるので、より有効な人材の活用が可能である。
【０１３３】
また、依頼企業の所在地に関係なく、オペレータを依頼企業のデータ入力作業にあてることができ、オペレータの有効な活用が可能であると共に、オペレータの採用にあたり地理的な制限を受けない。
【図面の簡単な説明】
【図１】本実施形態のオペレーションセンターシステムの構成を示すブロック図である。
【図２】イメージワークフローサーバおよび在宅勤務システムサーバの構成を示すブロック図である。
【図３】本実施形態のイメージワークフローサーバにある工程管理部による工程管理の一例について説明するための図である。
【図４】手書きの商品申込書の一例を示す図である。
【図５】エントリ用データの構成を示す図である。
【図６】エントリ端末の画面表示の一例を示す図である。
【図７】イメージワークフローサーバにより出力されるテキストデータを示す図である。
【図８】オペレーションセンターシステムの動作を説明するための図である。
【図９】本発明の他の実施形態のオペレーションセンタシステムの構成を示すブロック図である。
【符号の説明】
１０　　依頼企業
１１　　業務センタ
１１１　　イメージワークフローサーバ
１１１１　　データベース
１１１２　　工程管理部
１１１３　　入力待ちキュー
１１１４　　検証待ちキュー
１１１５　　完了キュー
１１２　　在宅勤務システムサーバ
１１２１　　集配信管理部
１１２２　　予実管理部
１１２３　　オペレータ管理部
１１３　　管理者端末
１１４　　登録端末
１１５　　イメージスキャナ
１２　　支店
１３　　人材派遣企業
１３１，１３１−１，１３１−２　　エントリ端末
１３２　　認証装置
１４　　一般家庭
１４１　　管理者端末
２１　　業務センタ
２１１，２１２　　イメージワークフローサーバ
２１３　　在宅勤務システムサーバ
２１４　　管理者端末
２２，２３　　支店
２２１，２３１　　登録端末
２２２，２３２　　イメージスキャナ
２４　　人材派遣企業
２４１　　管理者端末
２５　　一般家庭
２５１　　エントリ端末
２５２　　認証装置
Ａ１〜Ａ７　　ステップ
Ｂ１　　商品申込書
Ｂ２　　商品申込書イメージ
Ｂ３　　入力用のフォーム
Ｂ４　　エントリ用データ
Ｂ５，Ｂ７，Ｂ８，Ｂ９　　画面
Ｂ６　　テキストデータ
Ｎ１０，Ｎ２０，Ｎ３０，Ｎ４０，Ｎ５０　　通信ネットワーク
【図１】
2004070718.tif 000003
【図２】
2004070718.tif 000004
【図３】
2004070718.tif 000005
【図４】
2004070718.tif 000006
【図５】
2004070718.tif 000007
【図６】
2004070718.tif 000008
【図７】
2004070718.tif 000009
【図８】
2004070718.tif 000010
【図９】
2004070718.tif 000011